(57)【特許請求の範囲】
【請求項１】
スノーボードに密着結合されるプレートと、前記プレートの両側から垂直方向に延長される側壁が形成されるベースと；
前記ベースの後端側で側壁に回動可能に設置されるハイバックと；
前記ベースの先端側の上部に離間して配置される足甲カバーと；
前記ハイバックとベースと足甲カバーを連結する第１ワイヤと；
前記ハイバックの後面に回動可能に設置され、端部に前記ハイバックに連結された第１ワイヤが回動中心の対向側に連結されて、回動方向によって前記ハイバックとレバーを連結する第１ワイヤの連結長さが可変されながら、前記足甲カバーを移動させるレバーと；を含み、
前記ベースは前記側壁の先端側に前記第１ワイヤが貫通する通路が形成され、
前記ハイバックは中央両側に第１ワイヤが貫通する連結通路がそれぞれ形成され、
前記足甲カバーは、前記足甲カバーとベースの両側側壁の通路を連結する、第１ワイヤが通過する第１通路と、前記ベースの一側側壁の通路と足甲カバー及びハイバックの他側連結通路を連結する、第１ワイヤが通過する第２通路と、前記ベースの他側側壁の通路と足甲カバー及びハイバックの一側連結通路を連結する、第１ワイヤが通過する第３通路が形成され、
前記レバーは、第１ワイヤの長さを調節するための長さ調節手段が設けられ、
前記長さ調節手段は、内側に雌ねじ部が形成されて、前記レバーに回転可能に設置される回転部材と、前記第１ワイヤの端部に形成されて、前記回転部材の雌ねじ部に結合される雄ねじ部とからなり、第１ワイヤの両端にそれぞれ設けられるスノーボードバインディング。
【請求項２】
前記第１ワイヤは前記ベースと足甲カバーとハイバックとの間の露出される部分に前記足甲カバーをベースから離間させる方向に弾性力を提供するスプリングが挿入されることを特徴とする請求項１に記載のスノーボードバインディング。
【請求項３】
前記第１ワイヤは前記スプリングの弾性距離を狭めるチューブが挿入されることを特徴とする請求項２に記載のスノーボードバインディング。
【請求項４】
前記第１ワイヤは、レバーが牽引方向に回動した状態で、前記レバーの回動位置を保持する方向に引張力が作用することを特徴とする請求項３に記載のスノーボードバインディング。
【請求項５】
前記長さ調節手段は、両側に前記回転部材が回転可能に設置され、前記レバーとの対向側面に鋸歯状の第１凹凸が形成され、中央に垂直方向に長孔が形成された移動体と、前記移動体が設置される面に前記移動体の凹凸と噛合う第２凹凸と、前記移動体の長孔を貫通してレバーに締結される締結部材とをさらに含むことを特徴とする請求項１に記載のスノーボードバインディング。
【請求項６】
前記ベースとハイバックとレバーとを連結し、レバーが牽引方向に回動した状態でハイバックの後退を防止する第２ワイヤをさらに含むことを特徴とする請求項５に記載のスノーボードバインディング。
【発明の詳細な説明】
【技術分野】
【０００１】
本発明はスノーボードバインディングに関し、より詳しくは、レバーのロック方向への回動によって足甲カバーとハイバックが同時にブーツの前、後を固定するとともに、レバーが任意に解除されることを防止することができるスノーボードバインディングに関する。
【背景技術】
【０００２】
一般に、スノーボードはスキーとともにウィンタースポーツとして脚光を浴びている。
このようなスノーボードを楽しむためには、ボードと、スノーボーダーの足の動きを柔らかくしてくれるブーツと、ボードとブーツを連結するバインディングとを必ず備えなければならない。前述したバインディングの種類としては、ソフトバインディング（Ｓｏｆｔ  Ｂｉｎｄｉｎｇ）、ステップインバインディング（Ｓｔｅｐ−ｉｎ  Ｂｉｎｄｉｎｇ）及びストラップバインディング（Ｓｔｒａｐ  Ｂｉｎｄｉｎｇ）に分けられ、上記バインディングの中にはストラップバインディング（Ｓｔｒａｐ  Ｂｉｎｄｉｎｇ）が最も多く使われている実情がある。
【０００３】
前述したストラップバインディング（Ｓｔｒａｐ  Ｂｉｎｄｉｎｇ）は、図１に示すように、スノーボードに調節可能に結合されるベースプレート１と、前記ベースプレート１に調節可能に結合されて、ブーツの踵を固定する踵支持部２と、前記踵支持部２に装着されて、足首を支持するハイバック（Ｈｉｇｈ  ｂａｃｋ）３とからなる。この時、前記ベースプレート１の一側にはベースプレート１の他側へブーツの足首及び足甲を締めることができるように、それぞれの締め金が装着された第１ジョイント４及び第２ジョイント５が形成され、ベースプレート１の他側にはそれぞれの第１ジョイント４及び第２ジョイント５に装着された締め金が締結される第１ストラップ６及び第２ストラップ７が装着される。
【０００４】
このようなストラップバインディングは、隙間なくブーツを固定させ、ライディングの時の衝撃もブーツの固定に何らの影響を与えないという長所があるが、ブーツをバインディングに固定するためにはそれぞれの第１ジョイント４及び第２ジョイント５をそれぞれの第１ストラップ６及び第２ストラップ７に装着しなければならないため、早い時間内にバインディングに固定することができないという問題点があり、同じ動作を繰り返して締結するため着用に不便を与えるという問題があった。
【発明の概要】
【発明が解決しようとする課題】
【０００５】
従って、本発明の目的は、このような従来の問題点を解決するために創出されたもので、ハイバックの後方に位置したレバーをロック方向へ回動させることによって、足甲カバーとハイバックが同時にブーツの前、後を固定することができるスノーボードバインディングを提供することにある。
【０００６】
また、レバーのロック設定の時、第１ワイヤ及び第２ワイヤが前記レバーをロック方向に対して引張力を提供して、レバーのロック設定が任意に解除されることを防止することができるスノーボードバインディングを提供することにある。
【０００７】
また、足甲カバーの足指部分と足首部分が同時に第１ワイヤによって牽引されるので、ブーツの前部を包むとともに、上記足甲カバーを牽引する第１ワイヤによってブーツの後部分に位置するハイバックがブーツの後部分を支持することによって、ブーツを堅固に固定することができるスノーボードバインディングを提供することにある。
【０００８】
また、上記第１ワイヤの長さを両側でそれぞれ調節するようにすることによって、使用者の体形に合わせて調節することが可能なスノーボードバインディングを提供することにある。
【課題を解決するための手段】
【０００９】
上記の目的は、本発明によって、スノーボードに密着結合されるプレートと、前記プレートの両側から垂直方向に延長される側壁が形成されるベースと；前記ベースの後端側で側壁に回動可能に設置されるハイバックと；前記ベースの先端側の上部に離間して配置される足甲カバーと；前記ハイバックとベースと足甲カバーを連結する第１ワイヤと；前記ハイバックの後面に回動可能に設置され、端部に前記ハイバックに連結された第１ワイヤが回動中心の対向側に連結されて、回動方向によって前記ハイバックとレバーを連結する第１ワイヤの連結長さが可変されながら、足甲カバーを移動させるレバーと；を含み、ベースは側壁の先端側に第１ワイヤが貫通する通路が形成され、ハイバックは中央両側に第１ワイヤが貫通する連結通路がそれぞれ形成され、足甲カバーは、足甲カバーとベースの両側側壁の通路を連結する、第１ワイヤが通過する第１通路と、ベースの一側側壁の通路と足甲カバー及びハイバックの他側連結通路を連結する、第１ワイヤが通過する第２通路と、ベースの他側側壁の通路と足甲カバー及びハイバックの一側連結通路を連結する、第１ワイヤが通過する第３通路が形成され、レバーは、第１ワイヤの長さを調節するための長さ調節手段が設けられ、長さ調節手段は、内側に雌ねじ部が形成されて、レバーに回転可能に設置される回転部材と、第１ワイヤの端部に形成されて、回転部材の雌ねじ部に結合される雄ねじ部とからなり、第１ワイヤの両端にそれぞれ設けられるスノーボードバインディングによって達成される。
【００１０】
ここで、第１ワイヤはベースと足甲カバーとハイバックとの間の露出される部分に、足甲カバーをベースから離間させる方向に弾性力を提供するスプリングが挿入されることが好ましい。
【００１１】
また、第１ワイヤはスプリングの弾性距離を狭めるチューブが挿入されることが好ましい。
【００１２】
また、第１ワイヤは、レバーが牽引方向に回動した状態で、レバーの回動位置を保持する方向に引張力が作用することが好ましい。
【００１３】
また、長さ調節手段は、両側に回転部材が回転可能に設置され、レバーとの対向側面に鋸歯状の第１凹凸が形成され、中央に垂直方向に長孔が形成された移動体と、移動体が設置される面に移動体の凹凸と噛合う第２凹凸と、移動体の長孔を貫通してレバーに締結される締結部材とをさらに含むことが好ましい。
【００１４】
ベースとハイバックとレバーとを連結し、レバーが牽引方向に回動した状態でハイバックの後退を防止する第２ワイヤをさらに含むことが好ましい。
【発明の効果】
【００１５】
本発明によれば、ハイバックの後方に位置したレバーをロック方向へ回動させることによって、足甲カバーとハイバックが同時にブーツの前、後を固定することができるスノーボードバインディングが提供される。
【００１６】
また、レバーのロック設定の時、第１ワイヤ及び第２ワイヤが上記レバーをロック方向に対して引張力を提供して、レバーのロック設定が任意に解除されることを防止することができるスノーボードバインディングが提供される。
【００１７】
また、足甲カバーの足指部分と足首部分が同時に第１ワイヤによって牽引されるので、ブーツの前部を包むとともに、上記足甲カバーを牽引する第１ワイヤによってブーツの後部分に位置するハイバックがブーツの後部分を支持することによって、ブーツを堅固に固定することができるスノーボードバインディングが提供される。
【００１８】
また、上記第１ワイヤの長さを両側でそれぞれ調節されるようにすることによって、使用者の体形に合わせて調節することが可能なスノーボードバインディングが提供される。
【図面の簡単な説明】
【００１９】
【図１】従来のスノーボードバインディングの斜視図である。
【図２】本発明のスノーボードバインディングの斜視図である。
【図３】本発明のスノーボードバインディングの分解斜視図である。
【図４】図２の「Ａ１」部分の分解斜視図である。
【図５】図２の「Ａ２」部分の分解斜視図である。
【図６】本発明のスノーボードバインディングの平面図である。
【図７】本発明のスノーボードバインディングのロック解除状態を示す側面図である。
【図８】本発明のスノーボードバインディングのレバーのロック解除状態を示す側面図である。
【図９】本発明のスノーボードバインディングのハイバックの回動状態を示す側面図である。
【図１０】本発明のスノーボードバインディングの第１ワイヤ長さ調節手段の正面図である。
【図１１】図１０の側面図である。
【図１２】本発明のスノーボードバインディングの第１ワイヤ長さ調節手段の作用断面図である。
【発明を実施するための形態】
【００２０】
説明に先立って、各種実施形態において、同じ構成を有する構成要素に対しては同じ符号を用いて代表的に第１実施形態で説明し、その他の実施形態では第１実施形態と異なる構成について説明する。
【００２１】
以下、添付図面を参照して本発明の第１実施形態によるスノーボードバインディングについて詳細に説明する。
【００２２】
図２は本発明のスノーボードバインディングの斜視図であり、図３は本発明のスノーボードバインディングの分解斜視図であり、図４は図２の「Ａ１」部分の分解斜視図であり、図５は図２の「Ａ２」部分の分解斜視図であり、図６は本発明のスノーボードバインディングの平面図である。
【００２３】
図面に示すように、本発明のスノーボードバインディングは、スノーボードに装着されるベース１１０と、ベース１１０の後端側に設置されて、ブーツＢの後部分を支持するハイバック１２０と、ベース１１０の先端側上部に設置されて、ブーツＢの足甲部分を支持する足甲カバー１３０と、ベース１１０と足甲カバー１３０とハイバック１２０とを連結する第１ワイヤ１４０と、ハイバック１２０の後面に回動可能に設置されて、第１ワイヤ１４０の長さを調節するレバー１５０と、ベース１１０とハイバック１２０とレバー１５０とを連結し、レバー１５０が足甲カバーを牽引する方向に回動した状態で、ハイバック１２０の位置を固定する第２ワイヤ１６０と、レバー１５０の後面に設けられて、ブーツＢの大きさによって第１ワイヤ１４０の長さを調節する長さ調節手段１７０とを含む。
【００２４】
ベース１１０は、スノーボードに密着されるプレート１１１と、プレート１１１の両側から垂直方向に延長される側壁１１２ａ、１１２ｂと、側壁１１２ａ、１１２ｂの先端側に第１ワイヤ１４０が貫通する通路１１４ａ、１１４ｂとが形成される。ベース１１０は側壁１１２ａ、１１２ｂの一側板面に通路の一部を形成し、ここに内側面に側壁１１２ａ、１１２ｂの通路と一致する通路の残り部分が形成された蓋１１５を組立てて側壁１１２ａ、１１２ｂを貫通する通路１１４ａ、１１４ｂを形成する。この時、側壁１１２ａ、１１２ｂの板面に通路１１４ａ、１１４ｂを形成し、ここに蓋１１５を組立てて、側壁１１２ａ、１１２ｂを貫通する通路１１４ａ、１１４ｂを形成することも可能である（図４参照）。
【００２５】
ハイバック１２０は、ベース１１０の側壁１１２ａ、１１２ｂの後端側を貫通するヒンジ軸Ｈによって回動可能に設置されて、おおよそ垂直方向に回動した状態では、ブーツＢの後部分を支持するもので、第１ワイヤ１４０が貫通する連結通路１２２ａ、１２２ｂが下部両側に形成され、第２ワイヤ１６０が貫通する連結リング１２４ａ、１２４ｂが中央両側で形成され、レバー１５０が回動可能に組み立てられるブラケット１２６が中央上側に形成される。
【００２６】
足甲カバー１３０は、ベース１１０の先端側の上部に離間して配置されるもので、ベース１１０の両側通路１１４ａ、１１４ｂを連結する第１ワイヤ１４０が通過する第１通路１３１と、ベース１１０の一側側壁１１２ａの通路１１４ａとハイバック１２０の他側連結通路１２２ｂを連結する第１ワイヤ１４０が通過する第２通路１３２と、ベース１１０の他側側壁１１２ｂの通路１１４ｂとハイバック１２０の一側連結通路１２２ａとを連結する第１ワイヤ１４０が通過する第３通路１３３とが形成される。足甲カバー１３０で、第１通路１３１は足甲の下部、即ち足指に対応される位置に形成されるものであり、第２通路１３２及び第３通路１３３は足甲に対応される位置に互いに交差されるように形成される。
【００２７】
第１ワイヤ１４０はハイバック１２０とベース１１０と足甲カバー１３０及びレバー１５０を連結するもので、本実施形態では、被覆された金属鉄線が適用されたことで説明される。また、第１ワイヤ１４０はベース１１０と足甲カバー１３０とハイバック１２０との間で露出される部分に、コイル型圧縮スプリング１４２と、スプリング１４２の弾性距離を狭めるためのチューブ１４４が設けられて、足甲カバー１３０をベース１１０及びハイバック１２０から離間される方向に支持する。
【００２８】
レバー１５０はハイバック１２０の後面に回動可能に組み立てられるもので、ハイバック１２０のブラケット１２６に組み立てられる回動軸１５１と、回動軸１５１から離間される位置に第１ワイヤ１４０と第２ワイヤ１６０がそれぞれ挿入される第１挿入孔１５２と第２挿入孔１５３がそれぞれ形成される。
【００２９】
第２ワイヤ１６０は、第１ワイヤ１４０と同様に、被覆された金属鉄線で形成され、ベース１１０の一側側壁１１２ａに一端が固定された状態で他端がハイバック１２０の一側連結リング１２４ａとレバー１５０の第２挿入孔１５３とハイバック１２０の他側連結リング１２４ｂを経由してベース１１０の他側側壁１１２ｂに固定される。
【００３０】
長さ調節手段１７０は、第１ワイヤ１４０の長さを調節するためにレバー１５０の第１挿入孔１５２と連通される位置に形成されるもので、レバー１５０との対向側面に形成される第１凹凸部１７１ａと板面の中央に垂直方向に形成される長孔１７１ｂと長孔１７１ｂの両側に貫通形成される設置溝１７１ｃと設置溝１７１ｃの上側方向に連通されるように形成される案内溝１７１ｄとが形成された移動体１７１と、レバー１５０の板面に形成されて、移動体１７１の第１凹凸部１７１ａと噛合う第２凹凸部１７２と、中央に雌ねじ部１７３ａが形成されて、移動体１７１の設置溝１７１ｃに回転可能に挿入される回転部材１７３と、第１ワイヤ１４０の端部に形成されて、回転部材１７３の雌ねじ部１７３ａにねじ結合される雄ねじ部１７４と、移動体１７１の長孔１７１ｂを通じてレバー１５０に締結されて、移動体１７１をレバー１５０に固定させる締結部材１７５とを含む。
【００３１】
以下では、上述したスノーボードバインディングの第１実施形態の動作について説明する。
【００３２】
図７は本発明のスノーボードバインディングのロック解除状態を示す側面図であり、図８は本発明のスノーボードバインディングのレバーのロック解除状態を示す側面図であり、図９は本発明のスノーボードバインディングのハイバックの回動状態を示す側面図である。
【００３３】
図７に示すように、ベース１１０の側壁１１２ａの後端側にヒンジ軸Ｈを通じて回動可能に設置されたハイバック１２０がおおよそ垂直方向で立てられた状態でレバー１５０がロック方向に回動された状態がロック設定された状態で、この時、足甲カバー１３０は第１ワイヤ１４０によってベース１１０側に牽引され、ハイバック１２０は第２ワイヤ１６０によって解除方向、即ち後方への回動が制限される。
【００３４】
上記のような第１ワイヤ１４０が設置された状態について説明すると、一端がレバー１５０の一側に固定された状態で、ハイバック１２０の一側連結通路１２２ａと足甲カバー１３０の第３通路１３３とベース１１０の他側通路１１４ｂと足甲カバー１３０の第１通路１３１とベース１１０の一側通路１１４ａと足甲カバー１３０の第２通路１３２及びハイバック１２０の他側連結通路１２２ｂを経由して、再びレバー１５０の他側に固定される（図６参照）。
【００３５】
ベース１１０と足甲カバー１３０とハイバック１２０及びレバー１５０が、第１ワイヤ１４０によって連結された状態で、図７のように、レバー１５０が足甲カバー１３０を牽引する方向、即ち、ロック方向に回動する場合、ハイバック１２０の連結通路１２２ａを通過してレバー１５０の第１挿入孔１５２に連結された第１ワイヤ１４０が引っ張られた状態になり、この時、足甲カバー１３０とハイバック１２０との間を連結する第１ワイヤ１４０がレバー１５０の回動によってレバー側の方向に引っ張られながら、足甲カバー１３０の後端側をハイバック１２０に向かって牽引し、引き継ぎ足甲カバー１３０とベース１１０との間を連結する第１ワイヤ１４０が足甲カバー１３０の先端側をベース１１０に向けて牽引する。
【００３６】
上記のように、足甲カバー１３０がレバー１５０の回動によってハイバック１２０及びベース１１０側に牽引されることによって、ベース１１０とハイバック１２０及び足甲カバー１３０の間に位置することになるブーツの足指部分及び足元部分を堅固に締め付ける。
【００３７】
一方、ハイバック１２０の連結通路１２２ａ及びレバー１５０の第１挿入孔１５２は、レバー１５０の回動軸１５１を基準にレバー１５０がロック解除方向に回動しようとする方向の対向側に形成される。従って、レバー１５０がロック方向に回動した状態でハイバック１２０とレバー１５０を連結する第１ワイヤ１５０はレバー１５０をロック方向に引っ張るようになるので、レバー１５０がロック解除方向に任意に回動することが防止される。
【００３８】
また、足甲カバー１３０は、第１ワイヤ１４０によってベース１１０とハイバック１２０及びレバー１５０に連結された状態で、足甲カバー１３０とハイバック１２０及びベース１１０の間の露出された第１ワイヤ１４０の外側に挿入されたチューブ１４４及びスプリング１４２によって、ベース１１０から所定間隔離間された状態を保持し、この状態でのスプリング１４２は弾性圧縮された状態を保持する。
【００３９】
次に、第２ワイヤ１６０が設置された状態について説明すると、一端がベース１１０の一側側壁１１２ａに固定された状態で、ハイバック１２０の一側連結リング１２４ａとレバー１５０の第２挿入孔１５３とハイバック１２０の他側連結リング１２４ｂを経由してベース１１０の他側側壁１１２ｂに固定されている（図６参照）。
【００４０】
また、第１ワイヤ１４０と同様に、ハイバック１２０の連結リング１２４ａ及びレバー１５０の第２挿入孔１５３は、レバー１５０がロック解除方向に回動しようとする方向に対して、レバー１５０の回動軸１５１を基準に対向側に位置するようになる。従って、レバー１５０がロック方向に回動した状態で、ハイバック１２０の連結リング１２４ａとレバー１５０の第２挿入孔１５３を連結する第２ワイヤ１６０は緊張に引っ張られた状態を保持し、レバー１５０のロック方向に対して引張力を提供するので、レバー１５０が任意にロック解除方向に回動することが防止される。また、ベース１１０とハイバック１２０との間の第２ワイヤ１６０が緊張に引っ張られているので、ハイバック１２０が後方に回動することが防止される。
【００４１】
上述したようにロック設定された本発明のスノーボードバインディングのロック解除作用を説明すれば次の通りである。
【００４２】
図８のように、ハイバック１２０のブラケット１２６に回動軸１５１によって回動可能に組み立てられたレバー１５０がロック解除方向（矢印方向）に回動すると、図７で「Ｌ１」に表示されたレバー１５０の第１挿入孔１５２とハイバック１２０の連結通路１２２ａとの間の距離が図８で「Ｌ２」で表示したように短くなるので、第１ワイヤ１４０による足甲カバー１３０の牽引力が解除される。
【００４３】
上記のように、第１ワイヤ１４０が緩くなると、第１ワイヤ１４０の露出された部分で弾性圧縮されていたスプリング１４２が原状態に弾性復元されながら、足甲カバー１３０をベース１１０とハイバック１２０から離間させる。
【００４４】
また、ベース１１０とハイバック１２０とレバー１５０とを連結して、ハイバック１２０のロック位置を固定させる第２ワイヤ１６０もハイバック１２０の連結リング１２４ａとレバー１５０の第２挿入孔１５３との距離が短くなることによって第２ワイヤ１６０が緩くなって、ハイバック１２０がヒンジ軸Ｈを中心に自在に回動することができる。
【００４５】
図９のように、ハイバック１２０の回動が可能な状態では、ハイバック１２０を後方に完全に回動させてハイバック１２０と足甲カバー１３０との間の間隔が広がる。このような状態では、ハイバック１２０がブーツの踵に邪魔にならないので、ブーツの挿入及び離脱を容易に行うことができる。
【００４６】
上述したような本発明のスノーボードバインディングのロック過程は、ロック解除作用の逆順であり、図９のように、ベース１１０の先端側に離間して配置された足甲カバー１３０とベース１１０の後端側に回動可能に設置されたハイバック１２０との間の空間にブーツを挿入した状態で、図８のように、ハイバック１２０をブーツの後部分を支持するように回動させた後、図７のように、ハイバック１２０の後方のレバー１５０をロック方向に回動させると、第１ワイヤ１４０が緊張に引っ張られながら、足甲カバー１３０にブーツの前部の足指部分と足首部分を一度に締めると同時に、第２ワイヤ１６０が緊張に引っ張られながら、ハイバック１２０のロック位置を固定する特徴がある。
【００４７】
従って、本発明は使用者がレバー１５０を作用させることによって、ブーツ前部の足甲カバー１３０とブーツ後部のハイバック１６０が一度に固定または固定が解除されるので、迅速に着脱することができ、同時に使用が便利であるという利点を提供する。
【００４８】
図面において、図１０は本発明のスノーボードバインディングの第１ワイヤ長さ調節手段の正面図であり、図１１は図１０の側面図であり、図１２は本発明のスノーボードバインディングの第１ワイヤ長さ調節手段の作用断面図である。
【００４９】
図１０に示すように、レバー１５０の後端側に配置された移動体１７１の設置溝１７１ｃに回転部材１７３が回転可能に挿入された状態で、レバー１５０の第１挿入孔１５２を通じてレバー１５０の内側に挿入される第１ワイヤ１４０の末端部が回転部材１７３に挿入される。
【００５０】
この時、第１ワイヤ１４０の端部に形成された雄ねじ部１７４が回転部材１７３の雌ねじ部１７３ａにねじ結合されて、回転部材１７３の回転方向によって第１ワイヤ１４０の長さが調節される。このような回転部材１７３は第１ワイヤ１４０の両端側にそれぞれ設けられて長さを調節することができるので、使用者の体形に合わせて第１ワイヤ１４０の両側をそれぞれ独立的に調節することができる。
【００５１】
図１１のように、移動体１７１は長孔１７１ｂを貫通した締結部材１７５によってレバー１５０に固定されるが、この時、移動体１７１の内側面に形成された第１凹凸部１７１ａがレバー１５０の後面に形成された第２凹凸部１７２に噛合いながら、上下方向への移動が制限される。
【００５２】
このような状態で、図１２のように、締結部材１７５を解除方向に回転させて移動体１７１の拘束を解除させると、移動体１７１の第１凹凸部１７１ａがレバー１５０の第２凹凸部１７２から離脱された状態で、移動体１７１の長孔１７１ｂの範囲内で移動体１７１が上下方向に移動することになる。この時、移動体１７１に両端が拘束されている第１ワイヤ１４０は移動体１７１の上下方向への移動によって長さが調節される。
【００５３】
上述したように、移動体１７１に両端が拘束される第１ワイヤ１４０は、移動体１７１の上下方向へ移動する場合、両端の長さが一度に調節され、移動体１７１の両側にそれぞれ設置された回転部材１７３を回転させる場合、両側の第１ワイヤ１４０をそれぞれ独立的に調節することができるとともに、上記のように、移動体１７１の上下方向への移動と回転部材１７３の回転によって、二重に長さを調節することによって、狭い領域内で第１ワイヤ１４０の長さを調節する範囲を拡大させることができる。
【００５４】
本発明の権利範囲は上述した実施形態に限定されるのではなく、特許請求の範囲内で多様な形態の実施形態に具現されることができる。特許請求の範囲で請求する本発明の要旨を逸脱しない限り、本発明が属する技術分野において通常の知識を有する者であれば誰でも変形可能な多様な範囲まで本発明の請求項の範囲内に属するものとすべきである。
【産業上の利用可能性】
【００５５】
本発明はハイバックの後方に位置したレバーをロック方向へ回動させることによって足甲カバーとハイバックが同時にブーツの前、後を固定することができるという長所がある。
【００５６】
また、レバーのロック設定の時、第１ワイヤ及び第２ワイヤがレバーをロック方向に対して引張力を提供してレバーのロック設定が任意に解除されることを防止することができる。
【００５７】
また、足甲カバーの足指部分と足首部分が同時に第１ワイヤによって牽引されるので、ブーツの前部を包むとともに、足甲カバーを牽引する第１ワイヤによってブーツの後部分に位置するハイバックがブーツの後部分を支持することによって、ブーツを堅固に固定することができる。
【００５８】
また、第１ワイヤの長さを両側でそれぞれ調節することによって、使用者の体形に適合するように調節することが可能になる。
【符号の説明】
【００５９】
１１０：ベース
１１２ａ、１１２ｂ：側壁
１１４ａ、１１４ｂ：通路
１２０：ハイバック
１２２ａ、１２２ｂ：連結通路
１３０：足甲カバー
１３１：第１通路
１３２：第２通路
１３３：第３通路
１４０：第１ワイヤ
１５０：レバー
１５１：回動軸
１５２：第１挿入孔
１５３：第２挿入孔
１６０：第２ワイヤ
１７０：長さ調節手段
１７１：移動体
１７３：回転体
【図１】
0005580334.tif 000002
【図２】
0005580334.tif 000003
【図３】
0005580334.tif 000004
【図４】
0005580334.tif 000005
【図５】
0005580334.tif 000006
【図６】
0005580334.tif 000007
【図７】
0005580334.tif 000008
【図８】
0005580334.tif 000009
【図９】
0005580334.tif 000010
【図１０】
0005580334.tif 000011
【図１１】
0005580334.tif 000012
【図１２】
0005580334.tif 000013